(57)【特許請求の範囲】
【請求項１】
重ねられた一方の主面部材と他方の主面部材とを含み、前記一方の主面部材と前記他方の主面部材との間に収納部が形成され、前記一方の主面部材と前記他方の主面部材との端部に前記収納部に通じる開口部が形成されたフォルダーであって、
ストッパ片が前記一方の主面部材から延びて形成され、前記ストッパ片は、前記開口部において前記一方の主面部材の内表面に重なるように折り曲げられ、その一部分が前記一方の主面部材に接合され、
前記一方の主面部材と前記ストッパ片との重なる部分に綴じ穴が形成され、
前記開口部において前記他方の主面部材に差込み片が前記一方の主面部材と前記ストッパ片との間に差込むことができるように形成されるとともに、
前記一方の主面部材と前記ストッパ片との間に前記差込み片を差込みやすくするために、前記ストッパ片の端部を前記一方の主面部材から浮かせて前記一方の主面部材と前記ストッパ片の端部との間に隙間を形成するための隙間形成用溝が前記ストッパ片に形成された、フォルダー。
【請求項２】
前記開口部において前記他方の主面部材の前記端部から前記綴じ穴に対向する部分にわたって切欠部が形成された、請求項１に記載のフォルダー。
【請求項３】
前記他方の主面部材は、前記一方の主面部材から延びて形成され、その一部分が前記一方の主面部材の一部分に接合され、
前記差込み片は、前記他方の主面部材から延びて形成された、請求項１または請求項２に記載のフォルダー。
【請求項４】
前記差込み片の外表面に滑り止め用溝が形成された、請求項１ないし請求項３のいずれかに記載のフォルダー。
【発明の詳細な説明】
【０００１】
【発明の属する技術分野】
この発明はフォルダーに関し、特に、収納部とそれに通じる開口部とを有するフォルダーに関する。
【０００２】
【従来の技術】
図６は従来のフォルダーの一例を示す斜視図である。図６に示すフォルダー１は、重ねられた２枚の主面部材２ａおよび２ｂを含む。これらの主面部材２ａおよび２ｂは、それらの一方側端部が折り曲げ可能に接続され、下端部が溶着され、それによって、一方側端部および下端部が封止される。そのため、このフォルダー１は、主面部材２ａおよび２ｂ間に収納部３を有し、主面部材２ａおよび２ｂの他方側端部および上端部に収納部３に通じる開口部４を有する。このフォルダー１には、収納部３にたとえば書類などを収納することができる。
【０００３】
【発明が解決しようとする課題】
ところが、図６に示すフォルダー１は、綴じ穴を有しないため、リングファイルなどのファイルに綴じることができない。
このようなフォルダーをファイルに綴じることができるようにするために、フォルダーの２枚の主面部材の開口部側に綴じ穴を形成することが考えられる。
しかしながら、フォルダーの２枚の主面部材の開口部側に綴じ穴を形成すると、フォルダーをファイルに綴じた状態でフォルダーの開口部が開かない。
そこで、フォルダーをファイルに綴じた状態でフォルダーの開口部が開くようにするために、フォルダーの一方の主面部材にのみに綴じ穴を形成することが考えられる。
しかしながら、フォルダーの一方の主面部材にのみに綴じ穴を形成すると、フォルダーをファイルに綴じた場合、フォルダーの綴じ穴の周辺部分の強度が弱いとともに、フォルダーの開口部が不用意に開いてしまう。
【０００４】
それゆえに、この発明の主たる目的は、ファイルに綴じることができ、ファイルに綴じた状態で開口部を開けることができ、綴じ穴の周辺部分の強度が強く、開口部が不用意に開かない、ファルダーを提供することである。
【０００５】
【課題を解決するための手段】
この発明にかかるフォルダーは、重ねられた一方の主面部材と他方の主面部材とを含み、一方の主面部材と他方の主面部材との間に収納部が形成され、一方の主面部材と他方の主面部材との端部に収納部に通じる開口部が形成されたフォルダーであって、ストッパ片が一方の主面部材から延びて形成され、ストッパ片は、開口部において一方の主面部材の内表面に重なるように折り曲げられ、その一部分が前記一方の主面部材に接合され、一方の主面部材とストッパ片との重なる部分に綴じ穴が形成され、開口部において他方の主面部材に差込み片が一方の主面部材とストッパ片との間に差込むことができるように形成されるとともに、一方の主面部材とストッパ片との間に差込み片を差込みやすくするために、ストッパ片の端部を一方の主面部材から浮かせて一方の主面部材とストッパ片の端部との間に隙間を形成するための隙間形成用溝がストッパ片に形成された、フォルダーである。
この発明にかかるフォルダーでは、開口部において他方の主面部材の端部から綴じ穴に対向する部分にわたって切欠部が形成されることが好ましい。
また、この発明にかかるフォルダーでは、他方の主面部材は、一方の主面部材から延びて形成され、その一部分が一方の主面部材の一部分に接合され、差込み片は、他方の主面部材から延びて形成されることが好ましい。
さらに、この発明にかかるフォルダーでは、差込み片の外表面に滑り止め用溝が形成されることが好ましい。
【０００６】
この発明にかかるフォルダーでは、一方の主面部材とストッパ片との重なる部分に綴じ穴が形成されているので、たとえばリングファイルなどのファイルに綴じることができる。
さらに、この発明にかかるフォルダーでは、一方の主面部材とストッパ片との重なる部分に綴じ穴が形成されているので、ファイルに綴じた状態で開口部を開けることができる。
また、この発明にかかるフォルダーでは、一方の主面部材だけでなく一方の主面部材とストッパ片との重なる部分に綴じ穴が形成されているので、綴じ穴の周辺部分の強度が強い。
さらに、この発明にかかるフォルダーでは、開口部において他方の主面部材に差込み片が一方の主面部材とストッパ片との間に差込むことができるように形成されているので、差込み片を一方の主面部材とストッパ片との間に差込めば、開口部が不用意に開かない。
また、この発明にかかるフォルダーでは、開口部において他方の主面部材の端部から綴じ穴に対向する部分にわたって切欠部が形成されれば、たとえばリングファイルに綴じた場合にその切欠部を形成した部分がリングの邪魔にならない。
さらに、この発明にかかるフォルダーでは、他方の主面部材は、一方の主面部材から延びて形成され、その一部分が一方の主面部材の一部分に接合され、差込み片は、他方の主面部材から延びて形成されれば、全体を１枚のシートから一体的に形成することができるので、製造しやすく安価に製造することができる。
また、この発明にかかるフォルダーでは、差込み片の外表面に滑り止め用溝が形成されれば、差込み片が滑りにくくなって、差込み片を一方の主面部材とストッパ片との間に差込んだりその間から抜いたりしやすくなる。
さらに、この発明にかかるフォルダーでは、ストッパ片の端部を一方の主面部材から浮かせて一方の主面部材とストッパ片の端部との間に隙間を形成するための隙間形成用溝がストッパ片に形成されているので、一方の主面部材とストッパ片との間に差込み片が差込みやすくなる。
【０００７】
この発明の上述の目的、その他の目的、特徴および利点は、図面を参照して行う以下の発明の実施の形態の詳細な説明から一層明らかとなろう。
【０００８】
【発明の実施の形態】
図１はこの発明にかかるフォルダーの一例を示す斜視図であり、図２はそのフォルダーの平面図であり、図３はそのフォルダーを展開した状態を示す平面図であり、図４は図３に示す状態から全体を裏返してストッパ片を折り曲げた状態を示す平面図であり、図５は図４に示す状態から第２の主面部材を折り曲げた状態を示す平面図である。
【０００９】
図１に示すフォルダー１０は、たとえばポリプロピレンなどの合成樹脂からなる縦長の略長方形状の第１の主面部材１２および第２の主面部材１４を含む。第２の主面部材１４は、図３に示すように、第１の主面部材１２の一方側端部から延びて形成される。また、第１の主面部材１２および第２の主面部材１４は、それらの一方側端部が折り曲げ可能に接続される。そして、第１の主面部材１２および第２の主面部材１４は、互いに重なるように折り曲げられる。また、第１の主面部材１２の下端部および第２の主面部材１４の下端部は、溶着されることによって接合され封止される。したがって、第１の主面部材１２および第２の主面部材１４の間には、縦長の略長方形状の収納部１６が形成される。また、第１の主面部材１２および第２の主面部材１４の他方側端部および上端部には、収納部１６に通じる開口部１８が形成される。
【００１０】
このフォルダー１０の側端部の開口部１８において、たとえばポリプロピレンなどの合成樹脂からなる略台形状のストッパ片２０が、第１の主面部材１２の内表面に重なるように形成される。このストッパ片２０は、図３に示すように、第１の主面部材１２の他方側端部から延びて形成される。また、このストッパ片２０の先端部２２は、外側に膨らむ円弧状に形成される。さらに、第１の主面部材１２およびストッパ片２０は、折り曲げ可能に接続される。そして、ストッパ片２０は、第１の主面部材１２の内表面に重なるように折り曲げられる。また、ストッパ片２０の上端部および下端部は、第１の主面部材１２の他方側端部の近傍部分に溶着されることによって接合される。さらに、ストッパ片２０の先端部２２の近傍部分の外表面には、直線状の隙間形成用溝２４が形成される。この隙間形成用溝２４は、第１の主面部材１２とストッパ片２０の先端部２２との間に後述する差込み片２８を差込みやすくするために、ストッパ片２０の先端部２２を第１の主面部材１２から浮かせて第１の主面部材１２とストッパ片２０の先端部２２との間に隙間を形成するためのものである。
【００１１】
第１の主面部材１２とストッパ片２０との重なる部分には、円形の２つの綴じ穴２６が間隔を隔てて形成される。これらの綴じ穴２６は、このフォルダー１０をたとえばリングファイルなどのファイルに綴じることができるようにするためのものである。
【００１２】
また、このフォルダー１０の側端部の開口部１８において、第２の主面部材１４には、たとえばポリプロピレンなどの合成樹脂からなる略長方形状の差込み片２８が形成される。この差込み片２８は、第２の主面部材１４から延びて形成される。また、この差込み片２８は、先端部３０が外側に膨らむ円弧状に形成される。さらに、この差込み片２８は、第１の主面部材１２とストッパ片２０との間に差込むことができるように形成される。
【００１３】
さらに、差込み片２８の外表面およびその近傍の第２の主面部材１４の外表面には、直線状の５本の滑り止め用溝３２が間隔を隔てて平行に形成される。
【００１４】
また、開口部１８において、差込み片２８の両側には、第２の主面部材１４の他方側端部から綴じ穴２６に対向する部分にわたって、略４角形状の２つの切欠部３４がそれぞれ形成される。これらの切欠部３４は、このフォルダー１０をリングファイルに綴じた場合にリングの邪魔にならないようにするためのもである。
【００１５】
図１に示すフォルダー１０を製造するためには、たとえば、まず、１枚の合成樹脂シートを打ち抜くことによって、第１の主面部材１２、第２の主面部材１４、ストッパ編２０および差込み片２８が図３に示すように一体的に形成される。この場合、隙間形成用溝２４、綴じ穴２６、滑り止め用溝３２および切欠部３４も、第１の主面部材１２などと同時に形成される。
【００１６】
そして、図４に示すように、図３に示す状態からストッパ片２０が第１の主面部材１２の内表面に重なるように折り曲げられる。
【００１７】
さらに、図５に示すように、図４に示す状態から第２の主面部材１４が第１の主面部材１２の内表面に重なるように折り曲げられる。
【００１８】
そして、第２の主面部材１４の下端部は第１の主面部材１２の下端部に溶着され、ストッパ片２０の上端部および下端部が第１の主面部材１２の他方側端部の近傍部分に溶着される。それによって、図１に示すフォルダー１０が製造される。
【００１９】
図１に示すフォルダー１０では、第１の主面部材１２とストッパ片２０との重なる部分に綴じ穴２６が形成されているので、たとえばリングファイルなどのファイルに綴じることができる。
【００２０】
さらに、図１に示すフォルダー１０では、第１の主面部材１２とストッパ片２０との重なる部分に綴じ穴２６が形成されているので、ファイルに綴じた状態で開口部１８を開けることができる。
【００２１】
また、図１に示すフォルダー１０では、第１の主面部材１２だけでなく第１の主面部材１２とストッパ片２０との重なる部分に綴じ穴２６が形成されているので、綴じ穴２６の周辺部分の強度が強い。
【００２２】
さらに、図１に示すフォルダー１０では、差込み片２８を第１の主面部材１２とストッパ片２０との間に差込めば、開口部１８が不用意に開かない。
【００２３】
また、図１に示すフォルダー１０では、開口部１８において差込み片２８の両側に第２の主面部材１４の他方側端部から綴じ穴２６に対向する部分にわたって切欠部３４が形成されているので、たとえばリングファイルに綴じた場合にその切欠部３４を形成した部分がリングの邪魔にならない。
【００２４】
さらに、図１に示すフォルダー１０では、全体を１枚の合成樹脂シートから一体的に形成することができるので、製造しやすく安価に製造することができる。
【００２５】
また、図１に示すフォルダー１０では、差込み片２８の外表面に滑り止め用溝３２が形成されているので、差込み片２８が滑りにくく、差込み片２８を第１の主面部材１２とストッパ片２０との間に差込んだりその間から抜いたりしやすい。
【００２６】
さらに、図１に示すフォルダー１０では、第１の主面部材１２とストッパ片２０の先端部２２との間に隙間を形成するための差込隙間形成用溝２４がストッパ片２０に形成されているので、第１の主面部材１２とストッパ片２０の先端部２２との間に差込み片２８が差込みやすい。
【００２７】
また、図１に示すフォルダー１０では、各隅部が、他のものにあたって他のものに傷をつけないようにするために、円弧状に形成されている。
【００２８】
なお、上述のフォルダー１０では第１の主面部材１２および第２に主面部材１４が縦長の略長方形状に形成されているが、この発明ではそれらは横長の略長方形状や略正方形状など他の形状に形成されてもよい。同様に、ストッパ片２０および差込み片２８も、他の形状に形成されてもよい。
【００２９】
また、上述のフォルダー１０には直線状の１つの隙間形成用溝２４、円形の２つの綴じ穴２６および直線状の５本の滑り止め用溝３２が形成されているが、この発明ではそれらの形状や数は任意に変更されてもよい。なお、この発明では滑り止め用溝は形成されなくてもよい。
【００３０】
さらに、上述のフォルダー１０では切欠部３４が差込み片２８の両側において第２の主面部材１４の中間部に形成されているが、そのような切欠部は差込み片２８の両側から第２の主面部材１４の上下端部にわたって形成されてもよい。
【００３１】
【発明の効果】
この発明によれば、ファイルに綴じることができ、ファイルに綴じた状態で開口部を開けることができ、綴じ穴の周辺部分の強度が強く、開口部が不用意に開かない、ファルダーが得られる。
【図面の簡単な説明】
【図１】この発明にかかるフォルダーの一例を示す斜視図である。
【図２】図１に示すフォルダーの平面図である。
【図３】図１に示すフォルダーを展開した状態を示す平面図である。
【図４】図３に示す状態から全体を裏返してストッパ片を折り曲げた状態を示す平面図である。
【図５】図４に示す状態から第２の主面部材を折り曲げた状態を示す平面図である。
【図６】従来のフォルダーの一例を示す斜視図である。
【符号の説明】
１０  フォルダー
１２  第１の主面部材
１４  第２の主面部材
１６  収納部
１８  開口部
２０  ストッパ片
２２  先端部
２４  隙間形成用溝
２６  綴じ穴
２８  差込み片
３０  先端部
３２  滑り止め溝
３４  切欠部
【図１】
0003602821.tif 000002
【図２】
0003602821.tif 000003
【図３】
0003602821.tif 000004
【図４】
0003602821.tif 000005
【図５】
0003602821.tif 000006
【図６】
0003602821.tif 000007